(57)【要約】【課題】タクシーの乗客の行き先（目的地）までの経路が複雑な場合、或いはその目的地周辺の地理にタクシー運転者が詳しくない場合の何れであっても乗客の道案内を要することなく容易にその目的地までタクシーを走行可能にさせる。【解決手段】タクシー４に決済端末１を搭載し、この決済端末１に、地図が格納された記憶部１２と、表示部１５と、タクシーに乗車した乗客のカード３からこの乗客の行き先を表す目的地を読み取る読取手段（１７）と、ＧＰＳ衛星５からの信号に基づいてタクシーの位置を逐一演算する演算手段（１４）とを設け、決済端末１のＣＰＵ１１は、演算手段の演算結果を表すタクシーの現在の位置から、読取手段により読み取られた目的地までの経路を記憶部の地図をもとに検索し、検索した経路を記憶部から読み出した地図とともに表示部に表示する。【選択図】　　　　図１
2004012263.tif 000002
【特許請求の範囲】
【請求項１】
タクシーに搭載された端末装置であって、
表示部と、
地図データが格納された記憶部と、
前記タクシーに乗車した利用者のカードから前記利用者の行き先を示す目的地を読み取る読取手段と、
ＧＰＳ衛星からの信号に基づいて前記タクシーの位置を逐一演算する演算手段と、
前記演算手段の演算結果を示す前記タクシーの現在位置から前記読取手段により読み取られた目的地までの経路を前記記憶部の地図データをもとに検索し、検索した経路を前記記憶部から読み出した地図データとともに前記表示部に表示する制御手段と
を備えたことを特徴とする端末装置。
【請求項２】
請求項１において、
前記カードには前記利用者のＩＤが記録されるとともに、利用者のＩＤに関連づけてこの利用者が利用した前記タクシーの利用料金を管理するセンタが設けられ、
前記利用者が乗車した前記タクシーが前記目的地に到着したときに前記カードのＩＤと利用者のタクシー乗車料金とを前記センタに送信し、前記センタに前記利用者のタクシー乗車料金を決済させる決済手段を備えたことを特徴とする端末装置。
【請求項３】
請求項１において、
前記カードには価値情報が記録され、
前記利用者が乗車した前記タクシーが前記目的地に到着したときに前記カードの価値情報に基づき前記利用者のタクシー乗車料金を決済する決済手段を備えたことを特徴とする端末装置。
【発明の詳細な説明】
【０００１】
【発明の属する技術分野】
本発明は、タクシーに搭載されタクシーに乗車した利用者の目的地までの道案内を行う端末装置に関する。
【０００２】
【従来の技術】
一般に、利用者はタクシーに乗車すると、自身が降車する目的地やその目的地までの経路をタクシーの運転者に知らせる一方、タクシー運転者は乗客（利用者）から報知された経路にしたがって目的地までタクシーを走行させるようにしている。
【０００３】
【発明が解決しようとする課題】
しかし、乗客の降車目的地までの経路が複雑な場合や、タクシー運転者がその目的地周辺の地理に詳しくない場合は、乗客がタクシー運転者に道案内しなければ所望の目的地に辿り着くことができず、乗客の負担が増加するという問題があった。
【０００４】
したがって、本発明は、タクシーに乗車した乗客の目的地までの経路が複雑な場合、或いはその目的地周辺の地理にタクシー運転者が詳しくない場合の何れであっても乗客の道案内を必要とすることなく、容易に所望の目的地までタクシーを走行可能にさせることを目的とする。
【０００５】
【課題を解決するための手段】
このような課題を解決するために本発明は、タクシーに搭載されタクシーに乗車した利用者の目的地までの道案内を行う端末装置であって、表示部と、地図データが格納された記憶部と、タクシーに乗車した利用者のカードからこの利用者の行き先を示す目的地を読み取る読取手段と、ＧＰＳ衛星からの信号に基づいてタクシーの位置を逐一演算する演算手段と、演算手段の演算結果を示すタクシーの現在位置から読取手段により読み取られた目的地までの経路を記憶部の地図データをもとに検索し、検索した経路を記憶部から読み出した地図データとともに表示部に表示する制御手段とを設けたものである。
【０００６】
この場合、カードに利用者のＩＤを記録するとともに、利用者のＩＤに関連づけてこの利用者が利用したタクシーの利用料金を管理するセンタを設け、端末装置は、利用者が乗車したタクシーが目的地に到着したときにカードのＩＤと利用者のタクシー乗車料金とをセンタに送信し、センタに利用者のタクシー乗車料金を決済させる手段を備えるものである。
また、カードに価値情報を記録し、端末装置は、利用者が乗車したタクシーが目的地に到着したときにカードの価値情報に基づき利用者のタクシー乗車料金を決済する決済手段を備えるものである。
【０００７】
【発明の実施の形態】
以下、本発明について図面を参照して説明する。
図１は本発明に係る端末装置を適用したシステムの構成を示すブロック図である。
本システムは、タクシー４に搭載される決済端末１と、タクシー利用者が所有し、利用者を特定するためのＩＤとともに利用者の自宅や勤務先等の住所が利用者の目的地として記録される、例えばクレジットカード，キャッシュカード及びタクシーチケットなどのＩＣカード３と、ＧＰＳ衛星５と、タクシー４に搭載された決済端末１と無線接続が可能な公衆網６と、公衆網６と接続されタクシー４に乗車した利用者の乗車料金の決済を行う決済センタ７とから構成される。
【０００８】
以上のように構成されたシステムの動作の概要を説明する。
利用者がタクシー４に乗車すると、利用者は自身の所有するＩＣカード３をタクシー運転者に渡す。タクシー運転者はそのＩＣカード３を決済端末１に挿入する。すると、決済端末１は、予め記憶されている地図をもとに、ＧＰＳ衛星５からの信号に基づくタクシー４の現在位置から、ＩＣカード３から読み取ったタクシー利用者の目的地までの経路の検索を開始する。そして、その検索結果を表示部上に地図とともに表示する。タクシー運転者は決済端末１の表示部に表示された経路にしたがってタクシー４を目的地まで走行させる。
【０００９】
タクシー４が目的地に到着すると、決済端末１はＩＣカード３に記録されている利用者のＩＤとその利用者のタクシー乗車料金とを公衆網６を介して決済センタ７に送信することにより、タクシー乗車料金の電子決済を行う。決済センタ７では、後日その利用者のタクシー乗車料金を利用者の銀行口座から引き落とす。
【００１０】
図２は、タクシー４に搭載された決済端末１の構成を示すブロック図である。決済端末１には、この決済端末１の全制御を行うＣＰＵ１１と、地図を格納する記憶部１２と、ＧＰＳ衛星５からの電波信号を受信するＧＰＳアンテナ１３と、ＧＰＳアンテナ１３からの信号に基づき現在位置を緯度・経度情報として算出するＧＰＳ部１４と、地図などの表示を行う表示部１５と、キーボード１６とが設けられている。
【００１１】
さらに、決済端末１には、ＩＣカード３の情報を読み取るＩＣカードリーダ部１７と、図示しない磁気カードの情報を読み取る磁気カードリーダ部１８と、プリンタ１９と、公衆網６と電波信号を送受するためのアンテナ２０と、アンテナ２０を介して公衆網６と無線通信を行う無線通信部２１と、以上の各部に電源を供給する電源部２２とが設けられている。
【００１２】
次に図２に示す決済端末１の詳細な動作について説明する。
利用者がタクシー４に乗車すると、利用者は前述したように自身の所有するＩＣカード３をタクシー運転者に渡す。タクシー運転者は利用者から手渡されたＩＣカード３を決済端末１のＩＣカードリーダ部１７に挿入する。すると、ＩＣカードリーダ部１７はＩＣカード３に記録されている利用者の目的地を読み取ってＣＰＵ１１に伝達する。ＣＰＵ１１は、ＩＣカードリーダ部１７から伝達された利用者の目的地を入力すると、その目的地の位置を緯度・経度情報として算出する。
【００１３】
一方、決済端末１のＧＰＳ部１４では、常時ＧＰＳアンテナ１３を介して入力したＧＰＳ衛星５からの信号に基づきタクシー４の現在の位置を緯度・経度情報として算出している。また、記憶部１２には緯度・経度情報に対応した地図データが格納されている。ＣＰＵ１１は、ＧＰＳ部１４により演算されたタクシー４の現在位置の緯度・経度情報と、ＩＣカード３の目的地の緯度・経度情報とをもとに記憶部１２内の地図データを検索し、タクシー４の現在位置から利用者の目的地までの経路を求め、求めた経路を記憶部１２から読み出した地図とともに表示部１５に表示する。
【００１４】
なお、利用者の目的地として、ＩＣカード３に、例えば利用者の自宅住所と勤務地住所の２つの住所が記録されている場合は、決済端末１では双方の住所を目的地として表示部１５に表示するが、このときタクシー４に乗車した利用者からの指定に基づき運転者がキーボード１６を操作して何れかの住所を目的地として選択することにより、その選択住所を目的地として定めるようにする。
【００１５】
タクシー運転者は、表示部１５に表示された地図及びその地図上の目的地までの経路を認識してタクシー４を出発させ、表示部１５に表示された経路にしたがってタクシー４を走行させる。こうしたタクシー４の走行中にも、ＧＰＳ部１４ではＧＰＳ衛星５からの信号に基づいてタクシー４の位置を逐一算出している。また、ＣＰＵ１１は、ＧＰＳ部１４により逐一算出されたタクシー４の現在位置と利用者の目的地とから経路を求めて記憶部１２の地図データとともに表示部１５に表示する前述の処理を逐一実行する。このように、タクシー４が目的地に向かって走行中にも表示部１５には目的地までの経路が逐一案内表示されることから、タクシーに乗車した乗客の目的地までの経路が複雑な場合であっても、またその目的地周辺の地理にタクシー運転者が詳しくない場合であっても、タクシー運転者は表示部１５に的確に案内表示された経路を認識することにより、タクシー４を乗客の所望の目的地まで走行させることができる。
【００１６】
決済端末１のＣＰＵ１１は、ＧＰＳ部１４の演算結果に基づく位置と利用者の目的位置とが一致すると、タクシー４が目的地に到着したと判断する。この場合、ＣＰＵ１１は図示しない料金メータから料金を読み取るとともに、タクシー４が高速道路を走行した場合の運転者のキーボード１６の操作に基づく高速料金を入力して、これらを乗車料金とし、かつＩＣカードリーダ部１７を制御してＩＣカード３に記録されている利用者のＩＤを読み取らせる。そして、この利用者ＩＤと乗車料金とを無線通信部１２を送り、無線通信部２１からアンテナ２０，公衆網６を介して決済センタ７へ決済情報として送信させる。
【００１７】
各利用者のＩＤをもとに各利用者のタクシー乗車料金を管理する決済センタ７では、タクシー４に搭載された決済端末１から、前述したように、利用者のＩＤとともにその利用者のタクシー乗車料金が送信されてくると、その利用者ＩＤに関連づけてタクシー乗車料金を記憶する。そして、後日、その利用者のタクシー乗車料金を、その利用者ＩＤに関連づけて登録されている銀行口座から引き落とす。このように、決済端末１では利用者のタクシー乗車料金を決済することができる。
【００１８】
なお、本実施の形態では、ＩＣカード３に利用者ＩＤと利用者の目的地を記録し、利用者がタクシー４に乗車すると、ＩＣカード３に記録された利用者の目的地までタクシー４を走行させるとともに、目的地に到着すると、タクシー４の乗車料金とＩＣカード３の利用者ＩＤとを決済センタ７に送って利用者の乗車料金を決済するようにしているが、この場合、ＩＣカード３の代わりに磁気カードに利用者ＩＤと利用者の目的地を記録して磁気カードリーダ部１８にその磁気カードの記録情報を読み取らせるようにしても同様のことを実現できる。
【００１９】
また、本実施の形態では、決済端末１に、タクシー４の現在位置を演算するＧＰＳ部１４等のＧＰＳ機能と、ＩＣカード３の情報を読み取るＩＣカードリーダ部１７とを設けるようにしているが、決済端末１にＩＣカードリーダ部１７のみを設け、ＧＰＳ機能は決済端末１とは別の装置に設けて、決済端末１と別の装置との連動によりタクシー４の目的地までの案内表示を実現するように構成しても良い。
【００２０】
また、本実施の形態では、ＩＣカード３に利用者ＩＤを記録し、この利用者ＩＤを利用者のタクシー乗車料金とともに決済センタ７に送って乗車料金の決済を行うようにしているが、予め利用者がタクシー会社にお金を支払うことにより、タクシー会社側がその支払い代金に相当する価値情報をＩＣカード３にチャージし、利用者が乗車したタクシー４が利用者の目的地に到着すると、決済端末１がその乗車料金をＩＣカード３の残高から減じることにより、利用者の乗車料金を決済するようにしても良い。
【００２１】
【発明の効果】
以上説明したように本発明によれば、タクシーに搭載された端末装置に、表示部と、地図データが格納された記憶部と、タクシーに乗車した乗客のカードからこの乗客の行き先を表す目的地を読み取る読取手段と、ＧＰＳ衛星からの信号に基づいてタクシーの位置を逐一演算する演算手段とを設け、演算手段の演算結果を表すタクシーの現在の位置から、読取手段により読み取られた目的地までの経路を記憶部の地図をもとに検索し、検索した経路を記憶部から読み出した地図とともに表示部に表示するようにしたので、タクシーに乗車した乗客の目的地までの経路が複雑な場合であっても、またその目的地周辺の地理にタクシー運転者が詳しくない場合であっても、タクシー運転者は乗客の道案内を必要とすることなく乗客の所望の目的地までその乗客を運ぶことができる。
【図面の簡単な説明】
【図１】本発明に係る端末装置を適用したシステムの全体構成を示す図である。
【図２】上記端末装置の詳細な構成を示すブロック図である。
【符号の説明】
１…決済端末、３…ＩＣカード、４…タクシー、５…ＧＰＳ衛星、６…公衆網、７…決済センタ、１１…ＣＰＵ、１２…記憶部、１３…ＧＰＳアンテナ、１４…ＧＰＳ部、１５…表示部、１６…キーボード、１７…ＩＣカードリーダ部、１８…磁気カードリーダ部、１９…プリンタ、２０…アンテナ、２１…無線通信部。
【図１】
2004012263.tif 000003
【図２】
2004012263.tif 000004